(57)【特許請求の範囲】
【請求項１】
燃料を供給する燃料供給装置と、
該燃料供給装置近傍に設けられ、当該燃料供給装置による燃料の供給に関する情報が入力される設定器と、
事務所内に設けられ、該燃料供給装置及び前記設定器を管理する管理コンピュータと、
からなる燃料供給システムにおいて、
管理コンピュータは、
発行すべきカードの種別を設定するためのカード種別選択部と、
前記カード種別選択部で選択された種別のカードの発行枚数を設定するためのカード枚数設定部と、
前記カード種別選択部により選択され、かつ、前記カード枚数設定部により設定された枚数のカードの連続発行を前記設定器に対して指示する連続発行指示手段と、
を有し、
前記設定器は、
紙幣が挿入される紙幣挿入部と、
予め未使用のカードが複数枚収容されたカードストッカーと、
前記カードストッカーより１枚のカードを引き出し、前記紙幣挿入部に挿入された紙幣に応じた金額を記憶させたカードをプリペイドカードとして発行するカード発行部と、
当該燃料供給装置による燃料の供給を行う際に前記プリペイドカードが挿入されるカード挿入部と、
前記カード挿入部に挿入されたプリペイドカードに記憶された金額に基づき、前記燃料供給装置よりの燃料の供給量を制御する制御手段と、
前記管理コンピュータの連続発行指示手段より指示されたカードの種別及び発行枚数分のカードを前記カード発行部より連続発行させる連続カード発行手段と、
を有し、
前記カード枚数設定部に設定された発行枚数分のカードが全数発行するまで前記燃料供給装置による燃料供給ができないことを報知する報知手段と、
を備えてなることを特徴とする燃料供給システム。
【請求項２】
前記燃料供給装置と前記設定器とは、複数台設置されてなり、
前記管理コンピュータの連続発行指示手段は、燃料の供給を行っていない燃料供給装置に対応する設定器に対して前記カードの連続発行を指示することを特徴とする請求項１記載の燃料供給システム。
【発明の詳細な説明】
【０００１】
【発明の属する技術分野】
本発明は、燃料供給システムに係り、特にカードを用いて燃料の精算を行うよう構成された燃料供給システムに関する。
【０００２】
【従来の技術】
例えば、セルフサービス方式の計量機が設置された給油所等では、運転者（顧客）自身が給油作業の設定、給油作業、給油料金の精算を行うようになっている。そのため、運転者は、給油を行う前に給油する油種や給油量等のスイッチを有する設定器により所定の油種、給油量または給油金額を入力する設定操作を行った後、給油料金の精算方法を指定するようになっている。
【０００３】
給油料金の精算方法としては、現金で支払う方法、またはプリペイドカードで支払う方法、あるいは掛け売りカードを使用する方法等がある。現金で支払う場合、給油所が発行する会員カードを使用すると、通常の現金価格よりも値引きされた単価で算出された給油料金で精算することができる。
【０００４】
また、プリペイドカードで支払う場合、給油所側では、料金が先払いなので、料金回収を確実に行えると共に、顧客側では給油料金を現金で支払う場合よりも割引が大きいといったメリットがあり、プリペイドカードの利用が促進される傾向にある。
【０００５】
さらに、掛け売りカードは、例えば、タクシーのような営業車などに配布されるカードであり、給油料金を毎回精算するのではなく、月極で過去１月間に給油された給油料金を月末に一括精算する方式のカードである。
【０００６】
セルフサービス方式の計量機の近傍に給油金額の自動支払機が設けられているアイランド精算方式の場合、プリペイドカードがカードリーダ・ライタに挿入された後に油種を選択すると、選択された油種に対応する油種単価が表示部に表示されると共に、プリペイドカードの残額分のプリセット給油が自動的に設定される。そして、所望の油種（レギュラー、ハイオク、軽油等）の給油ノズルをノズル掛けから外してノズルレバーを開弁操作することで給油が開始される。
【０００７】
計量機に搭載された流量計の計測値（車両への給油量）がプリセット給油量に達する前に満タンとなって自動停止になった場合、給油終了後、プリペイドカードに記録された金額から給油金額を減算した金額をプリペイドカードに書き込んでプリペイドカードを返却する。
【０００８】
また、会員カードが挿入された場合には、現金が投入された金額を最大値とするプリセット給油が可能になり、給油終了後に給油量から会員価格の割引単価で給油料金を演算し、入金金額から給油料金を差し引いてつり銭を顧客に払い戻す。
【０００９】
また、掛け売りカードが挿入された場合には、満タン給油が可能になり、給油終了後の料金精算をせずに出車させ、後日精算することになる。
【００１０】
【発明が解決しようとする課題】
ところで、給油所では、新装開店セールとして、セール期間中に来店した顧客に対して所定金額の給油が可能なプリペイドカードを無料配布したり、あるいは会員カードの登録キャンペーンやタクシー会社などに多数の掛け売りカードを発行するなどの営業活動を行うことがある。
【００１１】
そのため、従来は、新装開店セールを行う前に予め来店予想数に応じた大量のプリペイドカードあるいは会員カード、掛け売りカードをカード製作会社に発注しておかなければならないので、カード準備に手間がかかるという問題があった。
【００１２】
また、来店顧客数が予想以上にあった場合には、新装開店セール中にカードを追加しなければならないが、カード製作会社に発注しても間に合わない場合がある。
【００１３】
また、計量機に隣接された設定器には、カードを発行するカード発行機能が設けられている。しかしながら、設定器では、カードを一枚ずつ発行するように作成されているので、大量の枚数を発行するのに時間がかかるばかりか、カード発行処理の間は給油ができなくなるので、順番待ちをしている顧客の給油が遅れてしまい、顧客に対して余計迷惑をかけることになる。
そこで、本発明は上記課題を解決した燃料供給システムを提供することを目的とする。
【００１４】
【課題を解決するための手段】
本発明は上記課題を解決するため、以下のような特徴を有する。
【００１５】
上記請求項１の発明は、燃料を供給する燃料供給装置と、
該燃料供給装置近傍に設けられ、当該燃料供給装置による燃料の供給に関する情報が入力される設定器と、
事務所内に設けられ、該燃料供給装置及び前記設定器を管理する管理コンピュータと、
からなる燃料供給システムにおいて、
管理コンピュータは、
発行すべきカードの種別を設定するためのカード種別選択部と、
前記カード種別選択部で選択された種別のカードの発行枚数を設定するためのカード枚数設定部と、
前記カード種別選択部により選択され、かつ、前記カード枚数設定部により設定された枚数のカードの連続発行を前記設定器に対して指示する連続発行指示手段と、
を有し、
前記設定器は、
紙幣が挿入される紙幣挿入部と、
予め未使用のカードが複数枚収容されたカードストッカーと、
前記カードストッカーより１枚のカードを引き出し、前記紙幣挿入部に挿入された紙幣に応じた金額を記憶させたカードをプリペイドカードとして発行するカード発行部と、
当該燃料供給装置による燃料の供給を行う際に前記プリペイドカードが挿入されるカード挿入部と、
前記カード挿入部に挿入されたプリペイドカードに記憶された金額に基づき、前記燃料供給装置よりの燃料の供給量を制御する制御手段と、
前記管理コンピュータの連続発行指示手段より指示されたカードの種別及び発行枚数分のカードを前記カード発行部より連続発行させる連続カード発行手段と、
を有し、
前記カード枚数設定部に設定された発行枚数分のカードが全数発行するまで前記燃料供給装置による燃料供給ができないことを報知する報知手段と、
を備えており、管理コンピュータの連続発行指示手段より指示されたカードの種別及び発行枚数分だけ設定器のカード発行部より複数のカードを連続発行させることが可能になると共に、カード発行中に給油できないことを知らせるものである。
【００１６】
また、上記請求項２の発明は、前記燃料供給装置と前記設定器とは、複数台設置されてなり、
前記管理コンピュータの連続発行指示手段は、燃料の供給を行っていない燃料供給装置に対応する設定器に対して前記カードの連続発行を指示するものであり、燃料を供給している燃料供給装置に対応する設定器によるカード発行を防止することができるとともに、燃料の供給が終了するのを待つことなく、迅速にカードの発行を行うことができる。
【００１７】
【発明の実施の形態】
以下、図面と共に本発明の実施の形態について説明する。
図１は本発明になる燃料供給システムの一実施例の構成を示すブロック図である。
図１に示されるように、燃料供給システムとしての給油システム１０は、大略、給油エリア１１に複数のセルフサービス給油方式の計量機１２（１２１〜１２ｎ）と、各計量機１２（１２１〜１２ｎ）に設けられた設定器１４（１４１〜１４ｎ）と、事務所１６内に設置された管理コンピュータ１８とからなる。
【００１８】
管理コンピュータ１８は、モニタ１８ａ及びプリンタ１８ｂを有する。プリンタ１８ｂは、給油所の閉店時にその日に給油を行った油液の各油種毎の給油量、給油金額、カード７１の発券枚数やカード購入のための入金金額などをレシート７４に印字する。また、モニタ１８ａは、給油所の係員の入力操作に応じて設定された表示画面を表示する。
【００１９】
給油所においては、例えば、カード７１による決済方法、現金による決済方法、クレジットカードによる決済方法などのうち、顧客の要望に応じて何れかの支払い方法を選択して精算することが可能である。本実施例のカード７１としては、料金先払いのプリペイドカード、給油所で会員登録した場合に発行される会員カード、現金後払いの掛け売りカードなどがある。また、給油所で発行する会員カード（図示せず）があるときは、現金で給油料金を支払うことになるが、プリペイドカードの場合と同様に各油種毎の単価が数％割引となって給油料金が演算される。
【００２０】
管理コンピュータ１８の記憶装置１９には、設定器１４（１４１〜１４ｎ）のカードリーダ・ライタ３６（カード発行部：図３に示す）から選択された種別（プリペイドカードまたは会員カードまたは掛け売りカード）のカードを連続発行させる制御プログラムI（連続カード発行手段）と、制御プログラムIにより設定された枚数のカード７１が全数発行するまで各計量機１２（燃料供給装置）による燃料供給ができないことを報知する制御プログラムII（報知手段）とが格納されている。
【００２１】
また、データベース１９Ａには、油種単価及び発行済みの全プリペイドカード７１の流通カード残高（給油可能金額データ）、各給油ノズルの給油量、給油金額、各油種別の給油量、給油金額、各種カード７１の新規発券枚数、書換え枚数、加金枚数及び金額、現金給油の金額、軽油税、消費税、ポイントなどその日の給油に関する各数値データなども記憶されている。
【００２２】
設定器１４（１４１〜１４ｎ）は、セルフサービスユニットとも呼ばれており、各計量機１２（１２１〜１２ｎ）に付設されている。また、設定器１４（１４１〜１４ｎ）は、給油を行う操作者（顧客）が所望する油種、給油量または給油金額を入力することにより各計量機１２（１２１〜１２ｎ）での給油を可能にする。尚、管理コンピュータ１８は、計量機１２（１２１〜１２ｎ）及び設定器１４（１４１〜１４ｎ）と通信回線（ＳＳ−ＬＡＮ）２０を介して接続されている。
【００２３】
また、給油所の管理コンピュータ１８は、釣り銭機２４と接続されている。釣り銭機２４は、セルフサービス給油を行った顧客が現金で精算して釣り銭が必要な場合、設定器１４から発行されたレシート（伝票）に記載された釣り銭の金額を現金で払い戻す。
【００２４】
給油所に到着した車両の運転者（顧客）は、まず給油エリア１１の空いている計量機１２の前に車両を停車させてから設定器１４の設定操作を行う。そして、設定器１４は、紙幣またはカード７１が挿入されて油種が選択されると、管理コンピュータ１８へ設定データ（油種、入金金額）を送信する。これに対し、管理コンピュータ１８は、当該給油ポイントの計量機１２へ給油許可信号を出力する。これで、計量機１２は、給油可能な状態になり、顧客は計量機１２の給油ノズルを車両の給油口（図示せず）に挿入して給油を開始することができる。
【００２５】
図２は管理コンピュータ１８のモニタ１８ａに表示されるカード発行設定画面の一例を示す図である。
図２に示されるように、管理コンピュータ１８は、給油所の係員の操作によりカード発行モードが指定されると、モニタ１８ａにカード発行設定画面８０が表示される。尚、モニタ１８ａは、画面がタッチパネルになっており、表示されたスイッチ釦に触れることでそのスイッチがオンに切り替わる。
【００２６】
カード発行設定画面８０では、カード種別選択エリア８１と、カード枚数設定エリア８２と、テンキーエリア８３と、確認エリア８４とが表示される。
【００２７】
また、カード種別選択エリア８１には、掛け売りカード（図示せず）を選択するための掛け売りカード釦８５と、会員カードを選択するための現金会員カード釦８６と、プリペイドカードを選択するためのプリペイドカード釦８７とが表示される。この場合のプリペイドカードとは、給油所側で所定金額データを記憶させて顧客に配布するサービス用のカードである。また、掛け売りカードとは、例えばタクシー会社等のように営業車への月極支払い方式の給油を行えるカードである。
【００２８】
また、カード枚数設定エリア８２には、会員カードを発行する際にテンキーの操作で入力された会員番号を表示する顧客コード表示部８８と、テンキーエリア８３の操作で入力された数値を表示する発行枚数表示部８９とが表示される。
【００２９】
また、テンキーエリア８３には、０〜９の数値キー８３０〜８３９とクリアキー８３ｃが表示される。
【００３０】
また、確認エリア８４には、発行釦９０と、確認釦としてのＹＥＳ釦９１と、ＮＯ釦９２とが表示される。
【００３１】
従って、給油所の係員がカード発行設定画面８０に表示された各釦に触れることで、カード種別、枚数を入力されると、その入力データが給油を行っていない任意の設定器１４に送信され、後述するカードリーダ・ライタ３６から指定された枚数のカード７１あるいは会員カードが連続に発行される。
【００３２】
図３は設定器１４の概略構成を示すブロック図である。
図３に示されるように、設定器１４は、油種入力部２６と、油種設定部２８と、紙幣挿入部３０と、紙幣識別部３２と、カード挿入部３４と、カードリーダ・ライタ３６と、カード発券スイッチ３７と、確認スイッチ３８と、キャンセルスイッチ３９と、油種表示部４０と、入金金額表示部４２と、単価表示部４３と、レシート発行部４６と、スピーカ４８と、レシート発行スイッチ５０と、釣り銭ランプ５２と、これらを制御する制御部５４とを有する。
【００３３】
カードリーダ・ライタ３６は、管理コンピュータ１８からの指令、あるいは紙幣挿入部３０に入金された後、カード発券スイッチ３７がオンに操作されると、未使用のカード７１が１００枚程度ストックされたカードストッカー（図示せず）から１枚のカード７１を引き出して紙幣識別部３２で識別された入金金額のデータを当該カード７１に磁気記憶させたプリペイドカード、あるいは会員番号が記憶された会員カード、あるいは会社コードが記憶された掛け売りカードを発行する。
【００３４】
また、カードリーダ・ライタ３６は、管理コンピュータ１８からの指令により多数のカード７１を連続発行させる指示があったときは、プリペイドカード、あるいは会員カードあるいは掛け売りカードを設定された枚数だけ連続発行する。
【００３５】
また、設定器１４では、カード７１を連続発行させている間は、入金金額表示部４２に例えば、「ＣＡＲＤ」といった文字を表示してカード発行が終了するまで給油操作を行えないことを報知する。
【００３６】
さらに、カード７１を連続発行させている間は、上記「ＣＡＲＤ」を表示させると共に、スピーカ４８から例えば、「カード発行中は、給油できません」といったメッセージを発声させて給油できないことを報知しても良い。
【００３７】
油種入力部２６は、操作者が給油する油種（レギュラーガソリン、ハイオクガソリン、軽油のいずれか）を指定するものであり、油種設定部２８は油種入力部２６により入力された油種を今回給油する油種情報として設定する。
【００３８】
紙幣挿入部３０には、給油前に現金１万円札、５千円札、２千円札、千円札のいずれかが挿入される。そして、紙幣識別部３２では、紙幣挿入部３０に挿入された紙幣の鑑定を行って、紙幣の入金金額を検出する。
【００３９】
また、カード挿入部３４は、給油料金をカード７１で精算する場合、カード７１が挿入される。そして、カードリーダ・ライタ３６では、カード挿入部３４に挿入されたカード７１に記録された金額データ（残金データ）または金額に対応する度数データ、あるいは会員番号、あるいは会社コードを読み取る。また、プリペイドカードの場合、磁気記憶部に給油金額を差し引いた残金を書き込む。
【００４０】
また、カード発券スイッチ３７は、顧客自身が新しいプリペイドカードを購入する際に操作させるスイッチであり、例えば、千円、２千円、５千円、一万円といった入金された紙幣金額に応じた金額データが書き込まれた新しいプリペイドカードを取得するためのものである。
【００４１】
確認スイッチ３８は、油種表示部４０に表示された油種及び入金金額表示部４２に表示された入金金額を確認されると、押圧操作される。単価表示部４３は、各油種毎の１リットル当りの単価を表示する。また、キャンセルスイッチ３９は、入力した設定事項（油種や入金金額）をキャンセルする際に操作されるスイッチである。
【００４２】
レシート発行部４６は、給油終了後、給油した油種、給油量、給油金額、入金金額、釣り銭金額を印字したレシートを発行する。スピーカ４８は、油種設定の操作方法や入金方法や釣り銭を受け取る場合の方法を音声でガイダンスする。
【００４３】
レシート発行スイッチ５０は、給油終了後に顧客がレシート発行を希望する場合に押圧操作されるものである。また、釣り銭ランプ５２は、給油終了後に点灯してお釣りがあることを顧客に報知するものである。
【００４４】
図４は設定器１４に設けられた操作パネルの一例を示す正面図である。
図４に示されるように、設定器１４の操作パネル５６は、▲１▼プリカ／紙幣挿入→プリカをお持ちの方→残金の少ない方は紙幣も挿入して下さい→プリカを挿入→▲２▼へ進む。プリカ購入の方→紙幣挿入口→発券ボタンを押す→プリカを取る→プリカを挿入→▲２▼へ進む。現金給油の方→紙幣挿入口→▲３▼へ進む。▲２▼油の種類を押す、▲３▼確認→選んだ油の種類と金額を確認したらＹＥＳボタンを押し給油して下さい、ＮＯボタンを押すと、紙幣、プリカが返却されます。▲４▼プリカ／レシートを取る→レシートが必要な方はランプ点滅中にレシートボタンを押して下さい、といった操作手順が記載されている。
【００４５】
「▲１▼プリカ／紙幣挿入」の欄には、紙幣挿入部（紙幣返却も行う）３０と、カード挿入部（発券及びカード返却も行う）３４と、カード発券スイッチ３７と、入金金額表示部４２と、単価表示部４３が配置されている。
さらに、「▲２▼油の種類を押す」の欄には、給油する油種を指定するための油種入力部２６として軽油選択スイッチ５８、ハイオク選択スイッチ６０、レギュラー選択スイッチ６２が配置されている。また、軽油選択スイッチ５８、ハイオク選択スイッチ６０、レギュラー選択スイッチ６２は、ランプが内蔵されており、後述するようにオンに操作されると点灯して選択された油種であることを表示する。
【００４６】
「▲３▼確認」の欄には、確認スイッチ（ＹＥＳスイッチ）３８と、キャンセルスイッチ（ＮＯスイッチ）３９とが設けられている。
「▲４▼プリカ／レシートを取る」の欄には、レシート発行部４６と、レシート発行スイッチ５０とが設けられている。尚、レシート発行スイッチ５０は、ランプが内蔵されており、給油後に点滅してレシート発行の有無を知らせる。
【００４７】
図５はプリペイドカードの裏面に記載される給油料金支払いデータの一例を示す図である。
図５に示されるように、カード７１は、磁気カードからなり給油金額を上書きできるリライト方式のプリペイドカードである。そして、このカード７１の裏面には、給油料金を支払うための給油可能金額（残金）データが印字されている。この給油可能金額（残金）データは、３０回まで印字することができる。従って、カード７１の裏面に記載された給油可能金額（残金）データにより過去の給油料金の支払い状況を確認することができる。
また、カード７１がプリペイドカードの場合、表面に金額データが磁気記録される磁性材が被覆された磁気記憶部７１ａが形成されている。この磁気記憶部７１ａには、プリペイドカードであることを識別するための識別データが記憶されており、この識別データを設定器１４から管理コンピュータ１８に送信すると、管理コンピュータ１８から各油種毎のプリペイドカード用単価が転送されて設定器１４で表示することができる。
【００４８】
そして、カードリーダ・ライタ３６は、プリペイドカードが挿入されると、磁気記録された残金データ（残金金額）を読み取ることができると共に、給油終了後に給油料金を差し引いた金額を給油料金精算後の残金データとして更新できる。
【００４９】
また、カード７１が会員カードである場合、磁気記憶部７１ａには、会員カードであることを識別するための識別データ、会員番号、会員の氏名、車両番号、油種などのデータが記憶されている。また、カード７１が掛け売りカードであるときは、磁気記憶部７１ａには、掛け売りカードであることを識別するための識別データ、会社コード、車両番号、油種などのデータが記憶されている。
【００５０】
ここで、上記燃料供給システムにおける管理コンピュータ１８及び設定器１４が実行する制御処理について説明する。
【００５１】
図６は管理コンピュータ１８が実行する発券処理を説明するためのフローチャートである。
図６に示されるように、ステップＳ１１（以下「ステップ」を省略する）で発券処理モードが入力されると、管理コンピュータ１８はモニタ１８ａにカード発行設定画面８０を表示する。次のＳ１２では、カード種別（本実施例では、プリペイドカード、会員カード、掛け売りカードの何れか）が選択されたかどうかをチェックする。Ｓ１２で掛け売りカード釦８５または現金会員カード釦８６またはプリペイドカード釦８７の何れかがオンに操作されると、Ｓ１３に進み、カード発行枚数が設定されたかどうかをチェックする。
【００５２】
Ｓ１３において、数値キー８３０〜８３９の操作により発行枚数表示部８８に入力した数値が表示されると、Ｓ１４に進む。Ｓ１４において、確認釦であるＹＥＳ釦９１がオン（本実施例では、モニタ１８ａの画面がタッチパネルであるので係員の指先が表示された釦に触れるだけで、オンになる）に操作され、Ｓ１５で発行釦９０がオンに操作されると、Ｓ１６に進む。
【００５３】
Ｓ１６では、給油を行っていない設定器１４に対してカード発行の要求信号（コマンド）を送信すると共に、設定されたカード種別、カード枚数などのカード発行データを送信する。続いて、Ｓ１７に進み、発券状態であることをモニタ１８ａに表示する。
【００５４】
そして、Ｓ１８では、発券処理中の当該設定器１４の給油処理を禁止する。次のＳ１９では、設定した発券枚数の残り（未発券数）があるかどうかをチェックする。
【００５５】
Ｓ１９において、発券中の設定器１４から送信された発券枚数と設定枚数との差から残り（未発券数）があるときは、上記Ｓ１７に戻り、Ｓ１７〜Ｓ１９の処理を繰り返す。また、Ｓ１９において、発券中の設定器１４から送信された発券枚数と設定枚数とが一致したときは、Ｓ２０で設定器１４の発券処理が終了したものと判断して当該設定器１４に対する給油禁止を解除する。
【００５６】
そして、Ｓ２１では、今回の発券処理を解除する。これで、管理コンピュータ１８による発券処理が終了する。
【００５７】
図７は設定器１４が実行する発券処理を説明するためのフローチャートである。
図７に示されるように、設定器１４は、Ｓ３１で管理コンピュータ１８から連続カード発行モードのコマンドを受信すると、Ｓ３２に進み、連続カード発行モードが設定され、カード発行処理中であることを周囲に報知する。この場合の報知手段としては、例えば、入金金額表示部４２に「ＣＡＲＤ」といった文字を表示してカード発行が終了するまで給油操作を行えないことを報知するようにしても良いし、あるいは、スピーカ４８から例えば、「カード発行中は、給油できません」といったメッセージを発声させても良い。
【００５８】
従って、複数のカード７１を連続発行させることが可能になると共に、カード発行中に給油できないことを知らせることができるので、複数のカードを連続発行中に誤って給油操作することが防止される。
【００５９】
次のＳ３３では、管理コンピュータ１８から送信されたカード種別（本実施例では、プリペイドカード、会員カード、掛け売りカードの何れか）を登録し、Ｓ３４では管理コンピュータ１８から送信されたカード発行枚数を登録する。そして、Ｓ３５では、発行するカードに書き込むカードデータ（例えば、金額データ、あるいは会員番号、あるいは会社コード等）を登録する。
【００６０】
次のＳ３６では、上記管理コンピュータ１８から送信されたデータに基づいてカードリーダ・ライタ３６で管理コンピュータ１８から送信されたカードデータを書き込んだカード７１を発行する。このようにカード発行処理時は、給油所の係員が当該設定器１４の前で待機しており、カードリーダ・ライタ３６から発行されたカード７１を１枚ずつ引き抜く。
【００６１】
Ｓ３７では、カードリーダ・ライタ３６から発行されたカード数をカウントしており、カウント値（カード発行枚数）ｎを管理コンピュータ１８へ送信する。次のＳ３８では、カウント値（カード発行枚数）ｎが上記Ｓ３４で登録したカード発行枚数に達したかどうかをチェックする。Ｓ３８において、カウント値（カード発行枚数）ｎが上記Ｓ３４で登録したカード発行枚数に達していないときは、上記Ｓ３６に戻り、Ｓ３６以降の処理を繰り返す。
【００６２】
また、Ｓ３８において、カウント値（カード発行枚数）ｎが上記Ｓ３４で登録したカード発行枚数に達したときは、Ｓ３９に進み、今回設定された連続カード発行処理が終了したことを報知する。この場合の報知手段としては、例えば、入金金額表示部４２に「ＥＮＤ」といった文字を表示してカード発行が終了したことを報知するようにしても良いし、あるいは、スピーカ４８から例えば、「カード発行が終了しました」といったメッセージを発声させても良い。
【００６３】
Ｓ４０では、管理コンピュータ１８に対してカード発行処理が終了したことを送信する。そして、Ｓ４１で設定器１４の連続カード発行モードを解除する。これで、設定器１４による連続カード発行モードが終了する。
【００６４】
このように、管理コンピュータ１８からの指令により設定器１４による連続カード発行処理が終了するため、多数のカードを短時間で作成することが可能になり、新装開店時のキャンペーン等でカードが足りなくなっても、その場でカードを作成して補充することが可能になる。また、設定器１４は、管理コンピュータ１８からの指令によりカード発行処理を行うため、設定器１４の操作ミスあるいは不正行為によるカード連続発行を防止することが可能である。
【００６５】
図８は設定器１４が実行する発券処理の変形例のフローチャートである。
図８に示されるように、設定器１４は、Ｓ５１でプリペイドカードを発行するかどうかをチェックする。Ｓ５１において、顧客がプリペイドカードの発行を選択しているときは、Ｓ５２に進み、紙幣挿入部３０から紙幣識別部３２に紙幣が挿入されたことを確認する。
【００６６】
Ｓ５２において、紙幣識別部３２で紙幣の金額が読み取られて入金金額が判別されると、Ｓ５３で操作パネル５６のカード発券スイッチ３７がオンに操作されたかどうかをチェックする。Ｓ５３でカード発券スイッチ３７がオンになると、Ｓ５４に進み、カードリーダ・ライタ３６から上記入金金額データが記憶されたプリペイドカードが発行される。
【００６７】
また、上記Ｓ５１において、プリペイドカードが選択されていないときは、Ｓ５５に進み、管理コンピュータ１８から発券設定データ（カード種別、カード枚数など）が受信されたかどうかをチェックする。Ｓ５５において、管理コンピュータ１８から発券設定データが受信されると、Ｓ５６に進み、現金会員カードが選択されているかどうかをチェックする。
【００６８】
Ｓ５６において、現金会員カードが選択されている場合、Ｓ５７で現金会員カードの連続発券モードを設定する。また、上記Ｓ５６において、現金会員カードが選択されていない場合は、Ｓ５８で掛け売りカードが選択されているかどうかをチェックする。
【００６９】
Ｓ５８において、掛け売りカードが選択されているときは、Ｓ５９に進み、掛け売りカードの連続発券モードを設定する。Ｓ５８で掛け売りカードが選択されていないときは、Ｓ６０に進み、プリペイドカードが選択されているかどうかをチェックする。Ｓ６０でプリペイドカードが選択されているときは、Ｓ６１に進み、プリペイドカードの連続発券モードを設定する。また、Ｓ６０でプリペイドカードが選択されていないときは、上記Ｓ５１に戻る。
【００７０】
上記何れかのカードの連続発券モードが設定されると、Ｓ６２に進み、カード発行枚数を設定する。
【００７１】
尚、以下のＳ６３〜Ｓ６９の処理は、前述したＳ３６〜Ｓ４７の処理と同一であるので、その説明は省略する。
【００７２】
このように、変形例の発券処理では、顧客自身がプリペイドカードを購入する場合と、管理コンピュータ１８からの指令により現金会員カードあるいは掛け売りカードあるいはプリペイドカードを連続発行する場合の発券処理を自動的に行うことができる。
【００７３】
ここで、上記各カードを用いて給油する際の給油処理について説明する。
図９は設定器１４が実行する給油処理のフローチャートである。
図９に示されるように、設定器１４は、Ｓ７１でカード７１がカードリーダ・ライタ３６で検知されたかどうかをチェックする。そして、Ｓ７１において、プリペイドカード、会員カード、掛け売りカードのうち何れかのカード７１が挿入されると、Ｓ７２に進み、挿入されたカード７１が有効かどうかをチェックする。
【００７４】
Ｓ７２において、当該カードが有効でないときは、Ｓ７３に移行してカード７１を排出する。続いて、Ｓ７４では、カード無効を報知してＳ７１に戻る。
【００７５】
また、Ｓ７２において、カードリーダ・ライタ３６に挿入されたカード７１が有効であるときは、Ｓ７５に進み、当該カード７１がプリペイドカードかどうかをチェックする。当該カード７１がプリペイドカードであるときは、Ｓ７６に進み、管理コンピュータ１８に登録されているプリペイドカードに応じた各油種毎の単価（１リットル当たりの料金）を読み込む。
【００７６】
次のＳ７７では、油種が設定済みかどうかをチェックする。Ｓ７７で油種が設定されていないときは、Ｓ７８に進み、操作パネル５６（図４参照）に設けられた軽油選択スイッチ５８、ハイオク選択スイッチ６０、レギュラー選択スイッチ６２のうち何れかの油種選択釦がオンに操作されたかどうかをチェックする。
【００７７】
上記Ｓ７７で油種が設定済みのとき、あるいはＳ７８で油種選択が行われたときは、Ｓ７９に進み、プリペイドカードで給油料金を精算する場合の油種単価を操作パネル５６の単価表示部４３に表示する。
【００７８】
次のＳ８０では、挿入されたカード７１がプリペイドカードか、あるいは会員カードかどうかをチェックする。挿入されたカード７１がプリペイドカードであるときは、Ｓ８１に進み、紙幣識別部３２に紙幣が投入されたかどうかをチェックする。Ｓ８１において、紙幣投入があったときは、Ｓ８２に進み、識別された増額分の金額をプリペイドカードに書き込む。
【００７９】
また、Ｓ８１において、紙幣投入がないときは、プリペイドカードに記憶された金額データ（残額）を最大値とするプリセット給油が可能になり、後述するＳ９１以降の給油処理に移行する。
【００８０】
前述したＳ７５において、当該カード７１がプリペイドカードでないときは、Ｓ８３に進み、当該カード７１が掛け売りカードかどうかをチェックする。当該カード７１が掛け売りカードでないときは、Ｓ８４に進み、当該カード７１が会員カードであると判別し、上記Ｓ７６に進み、Ｓ７６以降の処理を実行する。
【００８１】
さらに、上記Ｓ８０において、挿入されたカード７１が会員カードであるときは、Ｓ８５に進み、顧客に対して紙幣（現金）の投入を促すメッセージをスピーカ４８から発声させる。次のＳ８６では、紙幣識別部３２に紙幣が投入されたかどうかをチェックする。
【００８２】
Ｓ８６で紙幣識別部３２に紙幣が投入されると、Ｓ８７に進み、紙幣識別部３２に投入された金額を操作パネル５６の入金金額表示部４２に表示すると共に、入金された金額を最大値とするプリセット給油が可能になり、後述するＳ９１以降の給油処理に移行する。
【００８３】
また、上記Ｓ８３において、挿入された当該カード７１が掛け売りカードであるときは、Ｓ８８に進み、単価表示部４３の表示を消去する。次のＳ８９では、操作パネル５６に設けられた軽油選択スイッチ５８、ハイオク選択スイッチ６０、レギュラー選択スイッチ６２のうち何れかの油種選択釦がオンに操作されたかどうかをチェックする。
【００８４】
Ｓ８９において、油種選択が行われたときは、Ｓ９０に進み、満タン給油モードを設定する。続いて、Ｓ９１に進み、確認釦３８がオンに操作されたかどうかをチェックする。Ｓ９１において、確認釦３８がオンに操作されないときは、上記Ｓ７２に戻り、Ｓ７２以降の処理を再度やり直す。また、確認釦３８がオンに操作されたときは、Ｓ９２に進み、顧客が給油ノズル（図示せず）をノズル掛けから外して車両の給油口に差し込んだ後、ノズルレバーを開弁方向に操作して給油を開始すると、給油処理（ポンプ起動、流量パルス積算、給油量及び給油料金の算出など）を行う。
【００８５】
次のＳ９３では、給油終了かどうかをチェックしており、給油ノズルがノズル掛け戻されると、ノズルスイッチ（図示せず）がオフからオンに切り替わって給油が終了したものと判断する。給油終了後、Ｓ９４に進み、今回給油された給油量及びカード種別に応じた給油料金を演算する。
【００８６】
そして、Ｓ９５では、給油料金の精算を行う。すなわち、挿入されたカード７１がプリペイドカードの場合、カード７１に記憶された金額データからＳ９４で演算された給油料金を減算し、その残額をカードに書き込む。
【００８７】
また、挿入されたカード７１が掛け売りカードであるときは、管理コンピュータ１８の記憶装置１９に登録されたデータベースに会社コード、日付、車両番号、油種、給油量、給油料金などの給油データを格納する。また、挿入されたカード７１が会員カードであるときは、入金された現金から会員価格の給油料金を差し引いてつり銭を記入したレシートを発行する。
【００８８】
次のＳ９６では、カードリーダ・ライタ３６に挿入されたカード７１を排出して顧客にカード７１を返却する。これで、今回の給油処理が終了する。
【００８９】
設定器１４では、種別の異なる任意のカード７１がカードリーダ・ライタ３６に挿入されても各カード７１の種別（本実施例では、プリペイドカード、会員カード、掛け売りカードのうち何れか）を自動的に判別して給油が行えると共に、給油料金を各カード種別毎の単価で給油料金を演算して精算することが可能になっている。
【００９０】
尚、上記実施例では、カード７１が磁気記録部を有するものとしたが、これに限らず、他の記憶形式のカード（例えば、ＩＣカードやメモリカード等）を使用できるのは勿論である。
【００９１】
また、上記実施例では、給油所で油液を給油する場合について説明したが、これに限らず、ガソリンや軽油以外の燃料として、例えば、ＣＮＧ，ＬＰＧ，ＬＮＧあるいは燃料電池で使用される水素等を供給する燃料供給システムにも適用できるのは勿論である。
【００９２】
また、上記実施例では、セルフサービス方式の計量機で給油する構成の給油システムを一例として挙げたが、これに限らず、本発明は給油所の係員が給油操作を行う通常の給油システムにも適用できるのは勿論である。
【００９３】
また、上記実施例では、プリペイドカード、会員カード、掛け売りカードのうち何れかのカードを発行するものとして説明したが、これに限らず、これ以外のカードを発行するシステムにも適用できるのは勿論である。
【００９４】
【発明の効果】
上述の如く、請求項１の発明によれば、管理コンピュータの連続発行指示手段より指示されたカードの種別及び発行枚数分のカードを設定器のカード発行部より複数のカードを連続発行させることが可能になると共に、カード発行中に給油できないことを知らせることができ、カード発行が終了するまで、誤って給油することを防止できる。
【００９５】
また、上記請求項２の発明によれば、管理コンピュータの連続発行指示手段が、燃料の供給を行っていない燃料供給装置に対応する設定器に対してカードの連続発行を指示するため、燃料を供給している燃料供給装置に対応する設定器によるカード発行を防止することができるとともに、燃料の供給が終了するのを待つことなく、迅速にカードの発行を行うことができる。
【図面の簡単な説明】
【図１】本発明になる給油システムの一実施例の構成を示すブロック図である。
【図２】管理コンピュータ１８のモニタ１８ａに表示されるカード発行設定画面の一例を示す図である。
【図３】設定器１４の概略構成を示すブロック図である。
【図４】設定器１４に設けられた操作パネルの一例を示す正面図である。
【図５】プリペイドカードの裏面に記載される給油料金支払いデータの一例を示す図である。
【図６】管理コンピュータ１８が実行する発券処理を説明するためのフローチャートである。
【図７】設定器１４が実行する発券処理を説明するためのフローチャートである。
【図８】設定器１４が実行する発券処理の変形例のフローチャートである。
【図９】設定器１４が実行する給油処理のフローチャートである。
【符号の説明】
１２（１２１〜１２ｎ）  計量機
１４（１４１〜１４ｎ）  設定器
１８  管理コンピュータ
１８ａ  モニタ
１８ｂ  プリンタ
１９  記憶装置
２６  油種入力部
２８  油種設定部
３０  紙幣挿入部
３２  紙幣識別部
３４  カード挿入部
３６  カードリーダ・ライタ
３７  カード発券スイッチ
３８  確認スイッチ
３９  キャンセルスイッチ
４０  油種表示部
４２  入金金額表示部
４３  単価表示部
４６  レシート発行部
５０  レシート発行スイッチ
５２  釣り銭ランプ
５６  操作パネル
５８  軽油選択スイッチ
６０  ハイオク選択スイッチ
６２  レギュラー選択スイッチ
７１  カード
８０  カード発行設定画面
８１  カード種別選択エリア
８２  カード枚数設定エリア
８３  テンキーエリア
８４  確認エリア
８５  掛け売りカード釦
８６  現金会員カード釦
８７  プリペイドカード釦
８８  顧客コード表示部
８９  発行枚数表示部
９０  発行釦
９１  ＹＥＳ釦
９２  ＮＯ釦
【図１】
0003917401.tif 000002
【図２】
0003917401.tif 000003
【図３】
0003917401.tif 000004
【図４】
0003917401.tif 000005
【図５】
0003917401.tif 000006
【図６】
0003917401.tif 000007
【図７】
0003917401.tif 000008
【図８】
0003917401.tif 000009
【図９】
0003917401.tif 000010